(57)【要約】【課題】  テレビジョンコンテンツのクローズドキャプション信号を復号化して得た文字画像を、その表示の有無の切り替えを自在としつつ記録媒体に記録すること。【解決手段】テレビジョンコンテンツの搬送波の垂直帰線期間に重畳されているクローズドキャプション信号を抽出する。そして、抽出したクローズドキャプション信号から得た文字のラスタデータを圧縮符号化し、その符号化により得た符号列をサブピクチャストリームのパックとしてＤＶＤ記録媒体に記録させる。【選択図】      図１
2007036396.tif 000002
【特許請求の範囲】
【請求項１】
各文字コードとそれら各文字コードが示す文字のラスタデータとを対応付けて記憶した記憶手段と、
文字多重放送に対応したテレビジョンコンテンツの搬送波を受信する受信手段と、
前記受信した搬送波の垂直帰線期間に重畳されているクローズドキャプション信号を抽出する抽出手段と、
前記抽出したクローズドキャプション信号を復号化することによって文字コードを取得する文字コード取得手段と、
前記取得された文字コードと対応付けて前記記憶手段に記憶されたラスタデータを読み出す読出手段と、
前記読み出したラスタデータを所定の規格に従って圧縮符号化し、その圧縮符号化によって得た符号列をサブピクチャストリームのパックとして記録媒体に記録するサブピクチャ記録制御手段と
を備えたテレビジョンコンテンツ記録装置。
【請求項２】
請求項１に記載のテレビジョンコンテンツ記録装置において、
前記受信した搬送波を復調してテレビジョン画像データを取得するテレビジョン画像取得手段と、
前記取得したテレビジョン画像データを所定の規格に従って圧縮符号化し、その符号化によって得た符号列をビデオストリームのパックとして記録媒体に記録するビデオストリーム記録制御手段と
を更に備えたテレビジョンコンテンツ記録装置。
【請求項３】
請求項１又は２に記載のテレビジョンコンテンツ記録装置において、
前記受信した搬送波を復調してテレビジョン音声データを取得するテレビジョン音声取得手段と、
前記取得したテレビジョン音声データを所定の規格に従って圧縮符号化し、その符号化によって得た符号列をオーディオストリームのパックとして記録媒体に記録するオーディオストリーム記録制御手段と
を更に備えたテレビジョンコンテンツ記録装置。
【請求項４】
各文字コードとそれら各文字コードが示す文字のラスタデータとを対応付けて記憶した記憶手段と、文字多重放送に対応したテレビジョンコンテンツの搬送波を受信する受信手段とを備えたコンピュータ装置に、
前記受信手段が受信した搬送波の垂直帰線期間に重畳されているクローズドキャプション信号を抽出する抽出機能と、
前記抽出したクローズドキャプション信号を復号化することによって文字コードを取得する文字復号化機能と、
前記取得された文字コードと対応付けて前記記憶手段に記憶されたラスタデータを読み出す読出機能と、
前記読み出したラスタデータを所定の規格に従って圧縮符号化し、その圧縮符号化によって得た符号列をサブピクチャストリームのパックとして記録媒体に記録するサブピクチャ記録制御機能と
を実現させるプログラム。
【発明の詳細な説明】
【技術分野】
【０００１】
本発明は、テレビジョンコンテンツを記録する技術に関する。
【背景技術】
【０００２】
テレビジョンコンテンツをＤＶＤ（Digital Versatile Disk ）規格に従ったビットストリームとして記録媒体に記録するＤＶＤレコーダが広く普及している。
ＤＶＤ規格においては、テレビジョンコンテンツの画像信号と音声信号を個別に圧縮符号化して得られるビットストリームを、「パック」と呼ばれる纏まり毎に記録媒体へ記録することになっている。各パックには、画像と音声を同期して再生させるための各種制御コードが内包され、この制御コードを頼りにそれら各パックのビットストリームの復号化及び出力を行うことにより、記録媒体に記録されているテレビジョンコンテンツの再生が実現される（この種の技術については、特許文献１を参照）。
【特許文献１】特開２００５−２７３３２
【発明の開示】
【発明が解決しようとする課題】
【０００３】
ところで、各テレビジョン放送局を通じて放送されるテレビジョンコンテンツの多くは、いわゆる文字多重放送に対応したものとなっている。文字多重放送は、字幕などの文字画像をテレビジョンコンテンツの主たる画像と併せて視聴させる放送形態である。この文字多重放送の文字画像は、クローズドキャプションデコーダと呼ばれる特殊な機材をテレビジョン受像機に接続することで視聴可能となる。クローズドキャプションデコーダは、搬送波の垂直帰線期間に重畳されている信号（以下、この信号を「クローズドキャプション信号」と呼ぶ）を抽出し、そのクローズドキャプション信号を復号化等することによって得た文字画像を主たる画像に重畳表示させるようになっている。
【０００４】
しかしながら、これまでに提案されてきたＤＶＤレコーダは、このクローズドキャプションデコーダに相当する機能を有していなかったため、文字多重放送に対応したテレビジョンコンテンツの文字画像までもＤＶＤ記録媒体に記録させることはできなかった。また、ＤＶＤレコーダの放送信号入力インターフェースとテレビ受像用アンテナの間にクローズドキャプションデコーダを介在させれば放送信号から文字画像を取得すること自体は確かに可能であるものの、この場合、文字画像と主画像とがビデオストリームのパックとして一緒に記録されてしまうことになるため、記録したテレビジョンコンテンツを文字画像のない再生態様として視聴させることはできなかった。
【０００５】
本発明は、このような背景の下に案出されたものであり、テレビジョンコンテンツのクローズドキャプション信号を復号化して得た文字画像を、その表示の有無の切り替えを自在としつつ記録媒体に記録し得るような仕組みを実現することを目的とする。
【課題を解決するための手段】
【０００６】
本願発明の好適な態様であるテレビジョンコンテンツ記録装置は、各文字コードとそれら各文字コードが示す文字のラスタデータとを対応付けて記憶した記憶手段と、文字多重放送に対応したテレビジョンコンテンツの搬送波を受信する受信手段と、前記受信した搬送波の垂直帰線期間に重畳されているクローズドキャプション信号を抽出する抽出手段と、前記抽出したクローズドキャプション信号を復号化することによって文字コードを取得する文字コード取得手段と、前記取得された文字コードと対応付けて前記記憶手段に記憶されたラスタデータを読み出す読出手段と、前記読み出したラスタデータを所定の規格に従って圧縮符号化し、その圧縮符号化によって得た符号列をサブピクチャストリームのパックとして記録媒体に記録するサブピクチャ記録制御手段とを備える。
【０００７】
この態様において、前記受信した搬送波を復調してテレビジョン画像データを取得するテレビジョン画像取得手段と、前記取得したテレビジョン画像データを所定の規格に従って圧縮符号化し、その符号化によって得た符号列をビデオストリームのパックとして記録媒体に記録するビデオストリーム記録制御手段とを更に備えてもよい。
【０００８】
また、前記受信した搬送波を復調してテレビジョン音声データを取得するテレビジョン音声取得手段と、前記取得したテレビジョン音声データを所定の規格に従って圧縮符号化し、その符号化によって得た符号列をオーディオストリームのパックとして記録媒体に記録するオーディオストリーム記録制御手段とを更に備えてもよい。
【０００９】
本願発明の別の好適な態様であるプログラムは、各文字コードとそれら各文字コードが示す文字のラスタデータとを対応付けて記憶した記憶手段と、文字多重放送に対応したテレビジョンコンテンツの搬送波を受信する受信手段とを備えたコンピュータ装置に、前記受信手段が受信した搬送波の垂直帰線期間に重畳されているクローズドキャプション信号を抽出する抽出機能と、前記抽出したクローズドキャプション信号を復号化することによって文字コードを取得する文字復号化機能と、前記取得された文字コードと対応付けて前記記憶手段に記憶されたラスタデータを読み出す読出機能と、前記読み出したラスタデータを所定の規格に従って圧縮符号化し、その圧縮符号化によって得た符号列をサブピクチャストリームのパックとして記録媒体に記録するサブピクチャ記録制御機能とを実現させる。
【発明の効果】
【００１０】
本発明によると、テレビジョンコンテンツのクローズドキャプション信号を復号化して得た文字を、その表示の有無の切り替えを自在としつつ記録媒体に記録することができる。
【発明を実施するための最良の形態】
【００１１】
（発明の実施の形態）
本願発明の実施形態にかかるテレビジョンコンテンツ記録装置の特徴は、文字多重放送に対応したテレビジョンコンテンツの搬送波から取得したテレビジョン画像、テレビジョン音声、及び文字画像を個別の圧縮符号化方式で夫々圧縮符号化し、それらの圧縮符号化により得た符号列をＤＶＤの規格に従ったビットストリームとしてＤＶＤ記録媒体に記録するようにした点にある。
【００１２】
ここで、本実施形態の作用の前提となるＤＶＤのデータフォーマットについて概説しておく。ＤＶＤのデータフォーマットでは、コンテンツの内容を「パック」と呼ばれるビットストリームの纏まりに区分して管理する。各パックはＤＶＤ記録媒体の１つのセクタに記録されることになる。
図１に示すように、各パックは、パックヘッダ１０と一又は複数のパケット２０とから構成される。パックヘッダ１０には、ＳＣＲ（System Clock Reference）と呼ばれる基準時間情報などが内包される。パケット２０は、パケットヘッダ２１とパケットデータ２２とからなる。パケットデータ２２は、ビデオデータ、オーディオデータ、サブピクチャデータを圧縮符号化した符号列であるビットストリームを内包する。一方、パケットヘッダ２１には、自身が従えるパケットデータ２２のビットストリームが、ビデオ、オーディオ、及びサブピクチャの何れを示すものであるかを識別する識別コードや、ＰＴＳ（Presentation Time Stamp）と呼ばれる同期再生支援情報などが内包される。
【００１３】
記録済みＤＶＤ記録媒体を再生する際は、同じＳＣＲをヘッダに内包する複数のパックを取り纏めて復号器へ順次転送する。復号器は、パックに内包されたビットストリームをそのＰＴＳ（Presentation Time Stamp）が示すタイミングに合わせて復号化して出力する。これにより、ビデオ、オーディオ、サブピクチャの同期した再生が実現される。
【００１４】
図２は、本実施形態にかかるテレビジョンコンテンツ記録装置１のハードウェア構成を示すブロック図である。本装置は、システムタイマ１０１、搬送波受信部１０２、画像復調部１０３、画像符号化部１０４、音声復調部１０５、音声符号化部１０６、信号抽出部１０７、文字コード復号部１０８、文字画像記憶部１０９、文字画像読出部１１０、文字符号化部１１１、記録制御部１１２、及びディスクドライブ１１３を備える。これら各部の機能を概説する。
【００１５】
システムタイマ１０１は、装置各部が同期を計る為のクロック信号を発生する。
搬送波受信部１０２は、テレビジョンコンテンツの映像搬送波及び音声搬送波を受信する。
画像復調部１０３は、搬送波受信部１０２が受信した映像搬送波を復調して得たテレビジョン画像データを画像符号化部１０４へ供給する。画像符号化部１０４は、画像復調部１０３から供給されてくるテレビジョン画像データに対してＭＰＥＧ（Moving Picture Coding Experts Group）規格に従った圧縮符号化処理を施し、その圧縮符号化によって得た符号列を記録制御部１１２へ供給する。
【００１６】
音声復調部１０５は、搬送波受信部１０２が受信した音声搬送波を復調して得たテレビジョン音声データを音声符号化部１０６へ供給する。音声符号化部１０６は、音声復調部１０５から供給されてくるテレビジョン音声データに対してＡＣ−３(Audio Code number 3）規格、ＬＰＣＭ（Linear Pulse Code Modulation）規格等の規格に従った圧縮符号化処理を施し、その圧縮符号化により得た符号列を記録制御部１１２へ供給する。
【００１７】
信号抽出部１０７は、画像復調部１０３に供給される映像搬送波の垂直帰線期間に重畳されているクローズドキャプション信号を抽出して文字コード復号部１０８へ供給する。
文字コード復号部１０８は、信号抽出部１０７から供給されくるクローズドキャプション信号を復号化して文字多重放送の文字コードを取得する。
【００１８】
文字画像記憶部１０９は、文字多重放送において用いられる各種文字の文字コードとそれらの文字をビットマップとして表すラスタデータとを各々対応付けて記憶している。そして、文字画像読出部１１０は、文字コード復号部１０８が取得した文字コードと対応するラスタデータを文字画像記憶部１０９から読み出し、読み出したラスタデータを文字符号化部１１１へ供給する。
文字符号化部１１１は、文字画像読出部１１０から供給されてくるラスタデータにランレングス圧縮符号化処理を施し、その圧縮符号化により得た符号列を記録制御部１１２へ供給する。
【００１９】
記録制御部１１２は、画像符号化部１０４、音声符号化部１０６、及び文字符号化部１１１の各々から供給されてくる符号列を個別にパック化してディスクドライブ１１３へ転送する。具体的には、以下のような処理を行う。まず、画像符号化部１０４、音声符号化部１０６、及び文字符号化部１１１から供給される符号列を所定のビット長ずつ取り纏めてパケットデータ２２を形成する。続いて、ＰＴＳや識別コードを生成し、それらをパケットヘッダ２１としてパケットデータ２２と連結させる。ここで、ＰＴＳは、システムタイマ１０１のクロック信号に従って生成される、また、識別コードは、符号列の供給元が画像符号化部１０４であればビデオストリームであることを示す「ビデオ」とし、音声符号化部１０６であればオーディオストリームであることを示す「オーディオ」とする。更に、符号列の供給元が文字符号化部１１１であればサブピクチャストリームであることを示す「サブピクチャ」とする。パケットヘッダ２１の連結後、ＳＣＲを含んだパケットヘッダ２１を更に連結させることによってパックの加工が完了する。
【００２０】
ディスクドライブ１１３の図示しない書き込みデバイスは、記録制御部１１２から転送されてくる各パックをＤＶＤ記録媒体２０の各セクタに順次書込む。
【００２１】
図３は、ＤＶＤ記録媒体２０に記録されるシステムストリームの概念図である。図に示すように、システムストリームは、ビデオストリームのパック、オーディオストリームのパック、及びサブピクチャストリームのパックを多段に連結させてなる。そして、図に示すように、本実施形態のテレビジョンコンテンツ記録装置１によると、ビデオストリームのパックはテレビジョン画像データの符号列から、オーディオストリームのパックはテレビジョン音声データの符号列から、サブピクチャストリームのパックは文字のラスタデータの符号列から生成される。
【００２２】
市販のＤＶＤプレーヤの多くは、サブピクチャの表示の有無を切り替えるサブピクチャ表示切り替え機能を標準装備している。よって、本記録装置によってテレビジョンコンテンツを記録したＤＶＤ記録媒体を市販のＤＶＤプレーヤを用いて再生させ、その際にサブピクチャ表示切り替え機能を適宜利用するようにすれば、テレビジョン画像と別個に記録されている文字画像の表示の有無を自在に切り替えることができる。
【００２３】
以上説明した本実施形態によると、テレビジョンコンテンツの搬送波のクローズドキャプション信号から得た文字画像を圧縮符号化した符号列がサブピクチャストリームのパックとしてＤＶＤ記録媒体に記録される。よって、文字多重放送に対応したテレビジョンコンテンツの文字画像を、その表示の有無の切り替えを自在としつつＤＶＤ記録媒体に記録することができる。
【００２４】
（他の実施形態）
本願発明は、種々の変形実施が可能である。
上記実施形態において、テレビジョンコンテンツはその放送と合わせてほぼリアルタイムにＤＶＤ記録媒体に記録されるようになっていた。これに対し、画像復調部１０３で復調されたテレビジョン画像データや音声復調部１０５で復調されたテレビジョン音声データ、及び文字画像記憶部１０９から読み出された文字のラスタデータを夫々独立したファイルとしてメモリに記憶し、テレビジョンコンテンツの放送終了後に圧縮符号化と記録媒体への記録を纏めて行うようにしてもよい。この場合、各データのファイルを記録する際の時間軸の同期を図るため、クローズドキャプション信号から文字コードとその表示タイミングを示す制御データを抽出し、制御データと文字コードが示す文字のラスタデータとを対にしてメモリに記憶させておく必要がある。また、記憶しておいた文字コードのファイルを編集してテレビジョンコンテンツの字幕スクリプトを生成するなどしてもよい。
【００２５】
上記実施形態に示したＤＶＤ記録装置の信号抽出部１０７の駆動の有無をＥＰＧ（Electronic Program Guide）システムと連動させてもよい。図４は、かかる変形例のハードウェア構成を示すブロック図である。図に示すテレビジョンコンテンツ記録装置１は、システムタイマ１０１、搬送波受信部１０２、画像復調部１０３、文字符号化部１１１、音声復調部１０５、音声符号化部１０６、信号抽出部１０７、文字コード復号部１０８、文字画像記憶部１０９、文字画像読出部１１０、画像符号化部１０４、記録制御部１１２、及びディスクドライブ１１３のほか、ＥＰＧ受信部１１４、駆動制御部１５を備える。
ＥＰＧ受信部１１４は、インターネット網と接続されており、同網を通じて提供されるＥＰＧを駆動制御部１５へ供給する。駆動制御部１５は、ＥＰＧ受信部１１４から供給されるＥＰＧを基に文字多重放送に対応したテレビジョンコンテンツの放送時間を特定する。そして、文字多重放送に対応したテレビジョンコンテンツの放送時間が到来すると信号抽出部１０７を駆動させ、放送時間が終了するとその駆動を停止させる。本変形例によると、文字多重放送に対応したテレビジョンコンテンツの放送が行われている間だけサブピクチャストリームの生成が行われるため、記録媒体のリソースを効率的に利用できる。なお、ＥＰＧ受信部１１４は、インターネット網からではなくテレビジョン搬送波からＥＰＧを取得するようにしてもよい。
【００２６】
上記実施形態では、テレビジョンコンテンツの搬送波から得た各ストリームをＤＶＤ記録媒体に記録するようになっていたが、大容量ハードディスクなどといった他の記録媒体に記録するようにしてもよい。
【図面の簡単な説明】
【００２７】
【図１】ＤＶＤのデータフォーマットを示す図である。
【図２】テレビジョンコンテンツ記録装置のハードウェア構成図である。
【図３】ＤＶＤ記録媒体に記録されるシステムストリームの概念図である。
【図４】変形例のハードウェア構成図である。
【符号の説明】
【００２８】
１０…パックヘッダ、２０…パケット、２１…パケットヘッダ、２２…パケットデータ、１０１…システムタイマ、１０２…搬送波受信部、１０３…画像復調部、１０４…画像符号化部、１０５…音声復調部、１０６…音声符号化部、１０７…信号抽出部、１０８…文字コード復号部、１０９…文字画像記憶部、１１０…文字画像読出部、１１１…文字符号化部、１１２…記録制御部、１１３…ディスクドライブ、１１４…ＥＰＧ受信部、１１５…駆動制御部
【図１】
2007036396.tif 000003
【図２】
2007036396.tif 000004
【図３】
2007036396.tif 000005
【図４】
2007036396.tif 000006